(57)【特許請求の範囲】
【請求項１】
軸筒の前方に配設されたチャックの前後動で芯を把持し、且つ芯を繰り出すように成したシャープペンシルに於いて、軸筒の前端に設けられた口先部の内孔に先端部が口先部の前端から突出された状態に嵌挿されるスライダーの内孔部略前端に向けて保持チャックが設けられ、またスライダーの外周部が口先部の内周部に対して所定の間隔で進退するように係合されて、前記スライダーの係合する力に対して前記保持チャックの芯保持力が強く設定され、スライダーの軸部の外周にスライダーの最前進位置で口先部の内周に係合する緩やかな段部を設けることにより形成された凸部と口先部の内周部とを摩擦係合あるいは相互間に係止部を設けて係脱するように係合させ、その係合力をチャックが芯把持を開始して終了するまでの間にチャックが芯を引き込む力に対して大きく設定することを特徴とするシャープペンシル。
【発明の詳細な説明】
【０００１】
【産業上の利用分野】
本発明は、残芯を極力小としたシャープペンシルの改良に関する。
【０００２】
【従来の技術】
図５は従来のシャープペンシルを示している。図に示すように、軸筒１６の先方には軸継ぎ手１８を介してチャック２０が把持部外周に締め具２１を嵌装して設置され、チャック２０の後端に固着した芯ケース１９と軸筒１６との間に附勢されたチャックスプリング２３によりチャック２０が締め具２１で締め付けられて供給芯１４を把持している。また軸筒１６の先端に取付けられた口先部１７の先端にはスライダー２２が固定され、そのスライダー２２は、芯ガイド軸部２２ａの前方に先端パイプ２２ｂが、後方にゴム等の弾性材よりなる保持チャック２２ｃが固定されて、残芯１３は保持チャック２２ｃを貫通して先端パイプ２２ｂより突出している。この状態から、ノックしてチャック２０を前進するとチャック２０が締め具２１で締め付けられているので供給芯１４は把持された状態で前進する。更に前進すると締め具２１が口先部１７の段部１７ａに当接してチャックのみが前進するので芯の把持が解除され、芯の前端が残芯１３の後端に当接する。その状態からノックを解除すると芯が停止した状態でチャックが後退するが、チャックの把持部が締め具２１に係合し始めた時点から芯に摩擦係合して、芯を若干後退させた状態で把持が完了する。即ち、残芯１３の後端がチャック２０の把持部から外れた場合、つぎのノックで供給芯１４の先端が残芯１３の後端に当接するが、供給芯１４の前端が保持チャック２２ｃに係合されていない為に、チャック２０の後退時にチャックが締め具２１で締め付けられるやや手前で芯がチャックに係合されて芯を若干後退させてしまい、残芯１３の後端と供給芯１４の間に隙間２４が生じてしまう。従って、残芯１３の前端に筆圧をかけると隙間分芯潜りを生じる。その状態を起こすと筆感が悪く、しばらくの間はノックの度に芯潜りを繰り返す。従って、通常はノックを繰り返して残り分の芯を吐き出してしまう場合が多い。その場合、チャック把持部の略前端と先端パイプの前端迄の長さが残芯として無駄となる問題がある。その長さは設計都合で異なるが、通常は７ｍｍ〜１２ｍｍ程度である。また我慢して使う場合でも残芯の後端が保持チャックから外れた位置に前進すると芯は先端パイプの前端から脱落してしまう。
【０００３】
また軸筒の前端に口先部が設けられ、軸筒内に芯ケースと、この芯ケースの前端部に把持部外周に締め具が被嵌された後方チャックがスプリングによって前後動可能に設けられ、この後方チャックの前方に継ぎ手を介して連動するように前方チャックが設けられて、その前方チャックの把持部が口先部の前端孔に係合されて芯が把持されるように構成されたトップチャックあるいはダブルチャックと呼ばれるシャープペンシルが知られている。この場合、前方チャックには略１ｍｍの長さの残芯が把持可能であり、芯の無駄がない。しかしながら、構造が複雑なので低単価のシャープペンシルとして提供しにくい問題がある。また先端がチャックと成っているために、定規に当てて線引きする場合などにしづらい問題がある。
【０００４】
【発明が解決しようとする課題】
本発明は、残芯量を極端に短くして無駄をなくすと共に、使い勝手が良く、且つ低単価なシャープペンシルの提供を可能とする。
【０００５】
【課題を解決するための手段】
本発明は、上記課題を達成する為に以下の構成を有する。請求項１に記載の発明に係るシャープペンシルは、軸筒の前方に配設されたチャックの前後動で芯を把持し、且つ芯を繰り出すように成したシャープペンシルに於いて、軸筒の前端に設けられた口先部の内孔に先端部が口先部の前端から突出された状態に嵌挿されるスライダーの内孔部略前端に向けて保持チャックが設けられ、またスライダーの軸部の外周にスライダーの最前進位置で口先部の内周に係合する緩やかな段部を設けることにより形成された凸部と口先部の内周部とを摩擦係合あるいは相互間に係止部を設けて係脱するように係合させ、その係合力をチャックが芯把持を開始して終了するまでの間にチャックが芯を引き込む力に対して大きく設定することを特徴とする。
【０００６】
請求項２に記載の発明に係るシャープペンシルは、請求項１に記載のシャープペンシルに於いて、チャックが最前進した状態から、芯把持を開始する位置まで後退する間は、少なくともスライダーが口先部の最前進位置に略静止した状態に係合されてなる。
【０００７】
【実施例】
実施例について図面を参照して説明すると、図１は本発明の実施例に基づくノック式シャープペンシルを示しており、チャック８はその先端芯把持部外周に締め具１１を嵌装した後にその後端側から軸継ぎ手１０の軸心孔に挿通され、その軸継ぎ手１０が軸筒１の軸心孔に挿通されて、チャック８後端の係止部８ｂが芯ケース４前端の軸部４ａに設けた連結孔に係止されている。また芯ケース４前方に設けられた段部４ｂと軸継ぎ手１０の後端との間にチャックスプリング１２がチャック８を後方に引き込むように敷設されている。またチャック８の前方部は拡縮可能に二つ割りあるいは三つ割りの軸部で構成されている。
【０００８】
スライダー９は、先端パイプ９ａの内孔部略前端に向かって芯を挿通し、適宜摩擦係合するゴム等の保持チャック９ｂが固定され、先端パイプ９ａ後方に段部９ｄを介して軸部９ｃが一体的に設けられて、更に軸部９ｃの外周には凸部９ｅが形成されている。
【０００９】
また口先部３の内周部３ｅ（実施例では、複数箇所で形成されたリブの端面に相当する）の前端には先端段部３ｂが形成され、その適宜後方にやや縮径側に段部３ａが形成されて、更にその適宜後方に拡径側に段部３ｄが形成されている。スライダー９は、軸部９ｃの外周に形成された凸部９ｅの後端を前記口先部の内周部に形成された段部３ａの前方に位置すべく相互間の弾性変位を利用して嵌挿され、先端パイプ９ａが口先部３の前端から突出される。また先端段部３ｂにスライダーの段部９ｄが当接する前進位置と段部３ａにスライダーの凸部９ｅの後端が当接する後退位置で、口先部３に対してスライダー９が所定の間隔で進退する。また軸部と口先部に設ける係合部は、一方に形成した溝部と他方に形成した凸部の係止関係であってもよく、係合形状は限定されない。またスライダー９は、一体だけでなく前記先端パイプ９ａ（例えば金属）と外筒部９ｃを別体で設けることもできる。またスライダーを樹脂成形品となせば保持チャックを一体の弾性片で形成することも可能である。
【００１０】
また軸筒１前端の軸部１ａに、螺合等の手段によって口先部３が取付けられ、前記軸継ぎ手１０の前端に設けられたフランジ部１０ａが軸筒の軸部１ａの前端と口先部３の内段部との間に挟着されて軸継ぎ手１０が軸筒１に対して固定される。
【００１１】
また図２に示す状態から、更にチャック８が前進してチャック８の芯把持状態が解除され、芯が繰り出される。（図３参照）なお図２に示される間隔１５ａは略芯の繰り出し量となる。
【００１２】
また芯が順次繰り出されて、芯の後端がチャックの前端から離脱した場合、即ち、残芯１３の後端がチャック８の前方に位置し、供給芯１４の前端が残芯１３の後端に当接した状態に於いて、前進した状態からチャック８を後退させて、チャック８が締め具１１に係合して芯把持を開始する時に、芯がチャックに係合された状態でチャックと共に後退してチャックの芯把持が完了する。そのため、図４に示されるように残芯１３の後端と供給芯１４の間に隙間２５が生じるが、残芯１３の先端に筆圧をかけることでスライダー９が後退して、残芯１３の後端が供給芯１４の前端に当接するので芯潜りが生じない。即ち、スライダー９の係合する力に対して保持チャック９ｂの芯保持力が強く設定されることによって達成される。
【００１３】
【作用】
図２及び図３に示す状態より、キャップ５のノックとその解除を繰り返すことによって、通常のシャープペンシルと同様に芯ケース４と連動してチャック８が前後動して芯が先端パイプ９ａの前端から繰り出される。即ち、チャック８がスライダー９を前進させることにより口先部３の先端段部３ｂにスライダー９の段部９ｄが当接して、口先部３に対してスライダー９の前進が阻止され、チャック８が更に前進して締め具１１が段部３ｄに当接し、また更に前進してチャック８の芯把持状態が解除されることによって芯が繰り出される。芯の繰り出し量は、締め具１１の前端が口先部の段部３ｄに当接する間隔１５ａの略寸法となる。
【００１４】
筆記と共に芯が消耗すると、やがて芯の後端がチャック８の芯把持部から外れて残芯１３となる。また芯ケース４から次の芯が供給芯１４としてチャック８に送られる。図４は、スライダー９内に残芯１３が位置し、その後方にチャック８に把持された供給芯１４が位置した状態を示している。この状態でチャック８を前進して芯把持を解除すると、供給芯１４の前端が残芯１３の後端に当接した状態となるが、前進した状態からチャック８を後退させて、チャック８が締め具１１に係合して芯把持を開始する時に、芯がチャックに係合された状態でチャックと共に後退してチャックの芯把持が完了するために、図に示されるように残芯１３の後端と供給芯１４の間に隙間２５が生じる。
【００１５】
しかしながら、残芯１３の先端に筆圧をかけることでスライダー９が後退し、残芯１３の後端が供給芯１４の前端に当接するので先端パイプ９ａに対して芯潜りが生じない。従って、残芯１４の後端が保持チャック９ｂから外れるまでは芯の前端に筆圧をかけても芯潜りが無く筆感が良い。また保持チャックを極力先端パイプの内孔部前端に設けることによって筆記不可となる残芯の長さを短くすることができる。
【００１６】
またスライダーの軸部９ｃの外周に形成された凸部９ｅと口先部の内周部３ｅとを摩擦係合あるいは相互間に係止部を設けて係脱するように係合させ、その係合力をチャックが芯把持を開始して終了するまでの間にチャックが芯を引き込む力に対して大きく設定することによって、芯の繰り出し操作に対してスライダーが口先部に対し常に前進した位置に固定されるので、芯の繰り出し量は略間隔１５ａで略規定される。また残芯状態で芯を繰り出す場合（図４参照）、残芯１３と供給芯１４との隙間２５に対して筆圧をかけても芯潜りしないためには、スライダーの軸部と口先部の内周部との係合する力より保持チャック９ｂの芯保持力が大きくなるようにする必要がある。
【００１７】
即ち、チャックが芯把持を開始して終了するまでの間にチャックが芯を引き込む力に対してスライダーの軸部と口先部の内周部との係合する力は強く、口先部の内周部との係合する力に対して保持チャックの芯保持力は強く設定される。
【００１８】
またチャックが芯把持を開始して終了するまでの間にチャックが芯を引き込む力に対して、スライダーが口先部の最前進位置に略静止した状態に係合されている必要がある。また残芯状態で筆感良く筆記をするには、隙間２５を埋めるためにスライダー９が口先部の内周部を滑らかに摺動する必要がある。その工夫として、極めて限定された範囲に係合力が設定できるように凸部９ｅを弾性変位可能な形状になしたり、スライダーの最前進位置で凸部９ｅが口先部の内周に係合する緩やかな段部を設けて、スライダー後退の始動時に引っかかりを感じない程度の摺動を可能とする。
【００１９】
【発明の効果】
本発明の構成及び作用は以上の如くであり、筆記不可となる残芯が極端に短くでき芯の無駄がないので経済的である。又、僅かな残芯を吐き出す為に少ないノックで行うことができ煩わしさが極端に軽減でき、使い勝手が良く、且つ構造が簡単なので低単価なパイプスライド式のシャープペンシルの提供が可能となる。
【図面の簡単な説明】
【図１】本発明の実施例であるシャープペンシル全体の縦半断面図を示している。
【図２】本発明のシャープペンシルの要部を拡大して示した半断面図で、チャックが後退した状態を示している。
【図３】本発明のシャープペンシルの要部を拡大して示した半断面図で、チャックが最前進した状態を示している。
【図４】本発明のシャープペンシルの要部を拡大して示した半断面図で、残芯状態に於いてチャックが後退した状態を示している。
【図５】従来例のシャープペンシルの要部を拡大して示した半断面図である。
【符号の説明】
１ 軸筒
１ａ 軸部
２グリップ
３ 口先部
３ａ 段部
３ｂ 先端段部
３ｃ 軸部
３ｄ 段部
３ｅ 内周部
４ 芯ケース
４ａ 軸部
４ｂ 段部
５ キャップ
６ クリップ
７ 消しゴム
８ チャック
８ａ 芯把持部
８ｂ 係止部
９ スライダー
９ａ 先端パイプ
９ｂ 保持チャック
９ｃ 軸部
９ｄ 段部
９ｅ 凸部
１０ 軸継ぎ手
１０ａ フランジ部
１１ 締め具
１２ チャックスプリング
１３ 残芯
１４ 供給芯
１５ａ 間隔
１６ 軸筒
１７ 口先部
１７ａ 段部
１８ 軸継ぎ手
１９ 芯ケース
２０ チャック
２０ａ 係止部
２１ 締め具
２２ スライダー
２２ａ 芯ガイド軸部
２２ｂ 先端パイプ
２２ｃ 保持チャック
２３ チャックスプリング
２４ 隙間
２５ 隙間
【図１】
0004786073.tif 000002
【図２】
0004786073.tif 000003
【図３】
0004786073.tif 000004
【図４】
0004786073.tif 000005
【図５】
0004786073.tif 000006